(57)【要約】【課題】【解決手段】本発明は、手持ち式工作機械のためのバッテリパックで、バッテリパックハウジングと少なくとも１つのセルホルダとを有しているものに関する。前記セルホルダは、少なくとも１つのバッテリセルを収容している。本発明によれば、前記バッテリパックハウジングが少なくとも１つの折り畳み可能なヒンジを有しており、この場合、前記ヒンジが、第１のエレメントと第２のエレメントとを互いに接続するようになっている。この場合、前記第１のエレメントと前記第２のエレメントとが、一体的かつ互いに旋回可能に構成されていることが意図される。【選択図】図１
2019512155.tif 000002
【特許請求の範囲】
【請求項１】
手持ち式工作機械（３００）のためのバッテリパック（１００）であって、
バッテリパックハウジング（１１０）と少なくとも１つのセルホルダ（６００）とを有しており、前記セルホルダ（６００）が、互いに並列接続および／または直列接続で接続された少なくとも２つのバッテリセル（４００）を収容する形式のものにおいて、
前記バッテリパックハウジング（１１０）が少なくとも１つの折り畳み可能なヒンジ（６７０）を有しており、前記ヒンジ（６７０）が、第１のエレメント（６７２）と第２のエレメント（６７４）とを互いに接続し、前記第１のエレメント（６７２）と前記第２のエレメント（６７４）とが、一体的かつ互いに旋回可能に構成されていることを特徴とする、手持ち式工作機械（３００）のためのバッテリパック（１００）。
【請求項２】
前記バッテリパックハウジング（１１０）が前記セルホルダ（６００）を含有しており、前記セルホルダ（６００）が前記ヒンジ（６７０）を有していることを特徴とする、請求項１記載のバッテリパック（１００）。
【請求項３】
少なくとも１つの前記ヒンジ（６７０）がフィルムヒンジであることを特徴とする、請求項１または２記載のバッテリパック（１００）。
【請求項４】
前記バッテリパックハウジング（１１０）がさらに少なくとも１つの別の接続装置（６７８）有しており、該別の接続装置（６７８）が、前記ヒンジ（６７０）を係止位置で保持することを特徴とする、請求項１から３までのいずれか１項記載のバッテリパック（１００）。
【請求項５】
前記別の接続装置（６７８）が形状結合式および／または摩擦接続式の接続部であることを特徴とする、請求項４記載のバッテリパック（１００）。
【請求項６】
前記別の接続装置（６７８）が、スナップ接続部、差し込み接続部および／またはねじ接続部であることを特徴とする、請求項４または５記載のバッテリパック（１００）。
【請求項７】
前記接続装置（６７８）が、少なくとも第１のエレメント（６７２）に配置された係止突起（６７６）、および第２のエレメント（６７４）に配置された係止エレメント（６７７）を有していることを特徴とする、請求項４から６までのいずれか１項記載のバッテリパック（１００）。
【請求項８】
前記バッテリパックハウジング（１１０）および／または前記セルホルダ（６００）、および特に前記第２のエレメント（６７４）が、前記バッテリセル（４００）の充電状態を表示するための少なくとも１つの視野（６７９）を有していることを特徴とする、請求項１から７までのいずれか１項記載のバッテリパック（１００）。
【請求項９】
前記バッテリパックハウジング（１１０）および／または前記セルホルダ（６００）、特に前記第２のエレメント（６７４）が、それぞれ前記バッテリセル（４００）の様々な充電状態を表示する複数の視野（６７９）を有していることを特徴とする、請求項１から８までのいずれか１項記載のバッテリパック（１００）。
【請求項１０】
前記バッテリパック（１００）がバッテリパック電子回路（８００）を有しており、前記バッテリパック電子回路（８００）が、前記バッテリパック（１００）と前記手持ち式工作機械（３００）との間の電気接続を形成するための少なくとも１つの接点エレメント（１４０）を備えた少なくも１つのプリント配線板（８１０）、および／または前記バッテリセル（４００）に対応する少なくとも１つの接点手段（８４０）を備えたフレキシブルなプリント配線板（８１２）を有していることを特徴とする、請求項１から９までのいずれか１項記載のバッテリパック（１００）。
【請求項１１】
前記少なくとも１つのプリント配線板（８１０）および／または前記フレキシブルなプリント配線板（８１２）が、前記第１のエレメント（６７２）と前記第２のエレメント（６７４）との間に挟み込まれ得ることを特徴とする、請求項１０記載のバッテリパック（１００）。
【請求項１２】
手持ち式工作機械（３００）であって、ハンドル（３１５）を備えたハウジング（３０５）と、前記ハウジング（３０５）内に配置された、機械的なインターフェース（３２０）を駆動するための駆動モータ（３３５）と、前記ハウジング（３０５）内に配置された第１の電子回路（３７０）と、解除可能に前記手持ち式工作機械（３００）に接続可能な、請求項１から１１までのいずれか１項記載のバッテリパック（１００）とを有しており、前記バッテリパック（１００）が取り付けられた状態で前記手持ち式工作機械（３００）に電気的に接続されている、手持ち式工作機械（３００）。
【発明の詳細な説明】
【技術分野】
【０００１】
本発明は、請求項１記載の手持ち式工作機械のためのバッテリパックに関する。
【背景技術】
【０００２】
電動式の手持ち式工作機械は、基本的に公知であり、配電網接続部を介して電流が供給される。代替的に、バッテリ装置は作業時に高い自由度を可能にする。何故ならば、バッテリ装置は特に電力電源に依存しないからである。このような形式で、例えば現場作業も快適に実施することができるので、手持ち式工作機械の運転時に、何度もバッテリパックの装填が行われる。
【０００３】
このような形式のバッテリパックは基本的に公知であり、通常は並列および／または直列接続で接続された複数の再充電可能な蓄電池、例えば３つの直列接続された円柱形状の、例えばそれぞれ３．６Ｖを有する、総電圧が１０．８ＶであるＬｉ−Ｉｏｎｅｎ−Ｚｅｌｌｅｎ「リチウムイオン電池」を有している。従って、本出願の枠内でバッテリパックとは、好適には電気的に回路接続された複数のバッテリセルより成る、手持ち式工作機械を運転するために必要なエネルギを提供する電気エネルギを蓄えることができ、かつ手持ち式工作機械の室内またはインターフェース等に交換可能に取り付け可能な蓄電池パケットと解釈される。接続されたバッテリセルは、一方ではバッテリパック電子回路に、他方では相互に接続される必要がある。この場合、直列接続のために部分的にいわゆる導電板および／またはケーブルが使用され、これらの導電板および／またはケーブルは、バッテリセルのそれぞれ相補的な極にはんだ付けされ、これらを相互に接続する。
【０００４】
バッテリセルは、バッテリパック電子回路に接続されなければならず、複数のバッテリセルの場合、これらのバッテリセルは一方では相互に、他方ではバッテリパック電子回路に接続されなければならない。この場合、直列接続のために部分的に、バッテリセルのそれぞれ相補的な極にはんだ付けされ、これらのバッテリセルを相互に接続するいわゆる導電板および／またはケーブルが使用される。導電板および／またはケーブルは、導電性の接着接続を介して、セル接続部材に接続されている。
【０００５】
バッテリパックは、通常は、バッテリパックハウジングを含有しており、このバッテリパックハウジング内にセルホルダが完全にまたは部分的に受けられている。選択的に、セルホルダ自体はバッテリパックハウジングのバッテリパックハウジングエレメントを形成する。この場合、個別のバッテリパックハウジング構成部材が、様々な接続部材を介して、特にねじ接続またはスナップ接続によって互いに接続されなければならないという点が欠点であることが明らかである。
【発明の概要】
【発明が解決しようとする課題】
【０００６】
本発明の課題は、前記欠点を改良して、バッテリパックハウジングをできるだけ安価に、迅速かつ簡単に組み立てることができる、冒頭に述べた形式の手持ち式工作機械のための改善されたバッテリパックを提供することである。
【課題を解決するための手段】
【０００７】
この課題は、請求項１に記載したバッテリパックによって解決される。本発明の好適な実施形態、変化例および変化実施態様は、従属請求項に記載されている。
【０００８】
本発明によれば、手持ち式工作機械のためのバッテリパックが、バッテリパックハウジングと少なくとも１つのセルホルダとを有しており、この場合、セルホルダが少なくとも１つのバッテリセルを受けるようになっている。さらに、バッテリパックハウジングが少なくとも１つの折り畳み可能なヒンジを有しており、この場合、ヒンジは第１のエレメントと第２のエレメントとを互いに接続する。この場合、第１のエレメントと第２のエレメントとは一体的であって、互いに旋回可能に構成されている。このような形式で、２つまたはそれ以上のバッテリパックハウジング構成部材が互いに接続され得る。この場合、バッテリパックハウジング構成部材は互いに回転可能に支承されている。
【０００９】
好適な形式で、セルホルダは、並列接続および／または直列接続で互いに接続された複数のバッテリセルを受けており、この場合、各バッテリセルは実施例では長手方向軸線に対して平行に延在する外周面を有しており、この場合、外周面は、長手方向軸線に対して垂直な２つの端面によって仕切られているので、外周面および端面はバッテリセルの外側カバーを形成する。
【００１０】
特に好適な実施例では、バッテリパックハウジングはセルホルダを含有しており、この場合、セルホルダがヒンジを有している。本発明によるバッテリパックを使用することによって、組み立てが軽減され、部品の種類が減少される。この場合、少なくとも１つのヒンジがフィルムヒンジであれば有利である。何故ならば、特にフィルムヒンジは組み立て補助手段、特に位置決め補助手段および保持補助手段として使用され、この場合、例えば電子回路基板、ケーブルガイド、セル接続部材、ヒューズまたはその他の電子部品を、解除可能にまたは持続的にその位置に位置決めすることができる。
【００１１】
好適な形式で、バッテリパックハウジングはさらに、少なくとも１つの別の接続装置を有しており、この別の接続装置が、ヒンジをその位置で固定するか若しくは係止位置で保持する。この場合、好適な形式で、別の接続装置が、スナップ接続部、差し込み接続部および／またはねじ接続部であり、従って、ヒンジを介して回転可能に互いに支承されたバッテリパックハウジング構成部材は、追加的な接続装置を介してその位置で互いに固定され得る。特に好適な実施形態では、この接続装置は、第１のエレメントに配置された少なくとも１つの係止突起、および第２のエレメントに配置された係止エレメントであり、従って好適な形式で、別の接続装置によって、第１のエレメントと第２のエレメントとの間の形状締結式の接続および／または摩擦締結式の接続が得られる。
【００１２】
さらに、バッテリパックはバッテリパック電子回路を有しており、この場合、バッテリパック電子回路は、バッテリパックと手持ち式工作機械との間の電気的な接続を形成するための接点エレメントを備えた少なくとも１つのプリント配線板を有している。選択的にまたは追加的に、バッテリパックが別のプリント配線板、特にフレキシブルなプリント配線板を有しており、このフレキシブルなプリント配線板上に、バッテリセルに対応する少なくとも１つの接点手段が配置されているように意図されていてよい。好適には、接点手段は、個別のバッテリセルとバッテリパック電子回路との導線を介した追加的な接続が省かれるように、対応するバッテリセルと外周面において電気的に接続している。この場合、接点手段は、溶接接続またははんだ付け接続を介してプリント配線板に接続されていてよく、これによって、特に簡単かつ確実な機械的および電気的な接続が得られる。さらに、相応に構成された溶接接続によって、公差補正並びに熱膨張補正も得られる。
【００１３】
好適な形式で、バッテリパック電子回路はマイクロコントローラを有しており、この場合、マイクロコントローラは、接点手段に電気的に接続されていて、このために、個別のバッテリセルの少なくとも１つの運転パラメータを少なくとも１つの接点手段を介して検出するように構成されている。バッテリパック電子回路のマイクロコントローラによって、特に充電時間が個別のバッテリセルの電圧を介して監視され、相応の制御によって制御される。相応に、個別セル監視が行われ、この場合、個別のバッテリセルが接点手段を介してバッテリパック電子回路のプリント配線板に直接接続されている。このような形式の接続は、例えばはんだ付け接続によって行われてよく、この場合、バッテリパック電子回路は好適な形式で相応のはんだ付けパッドを有していてよい。これによって、バッテリセルとプリント配線板との間の接続に基づいて、すべてのバッテリセルが規定通りに充電されるかどうか、若しくは場合によってはバッテリセルが処理できない充電電流に達するかどうかが確認され得る。さらに、制御が予定されてよく、この制御によって、充電電流は、一方では個別のバッテリセルの過充電が阻止され、他方ではすべてのバッテリセルが完全に充電され得るように、制御される。このような形式で、長時間にわたって相応のバッテリパックの良好な使用可能性が得られる。
【００１４】
本発明によれば、ヒンジが少なくとも１つのプリント配線板をバッテリパックハウジングおよび／またはセルホルダに固定するようになっており、この場合、プリント配線板、特にフレキシブルなプリント配線板が第１のエレメントと第２のエレメントとの間に挟み込まれているようになっている。この場合、好適な実施形態では、バッテリパックハウジングおよび／またはセルホルダ、特に第２のエレメントが、バッテリセルの充電状態を表示するための少なくとも１つの視野を有しており、この場合、好適な形式で、バッテリパックハウジングおよび／またはセルホルダ、特に第２のエレメントが、複数の視野を有しており、従って、異なる視野によって、バッテリセルの様々な充電状態を表示することができる。
【００１５】
本発明によるバッテリパックの上記最適化された実施形態によって、特にバッテリパックの組み立て若しくは、バッテリパックハウジング内の様々な構成部材、特にプリント配線板、ケーブルガイド、セル接続部材および／または電子回路ヒューズの位置決めおよび組み立てが改善される。
【００１６】
基本的に、バッテリパック内に様々な実施例のセルホルダを使用することができるので、様々な直径および長さを有するバッテリセルを受けることができ、セルホルダを様々なバッテリパックに使用することが保証され得る。
【００１７】
バッテリパックのためのバッテリセルとして、例えばＬｉｔｈｉｕｍ−Ｉｏｎｅｎ（Ｌｉ−Ｉｏｎ）「リチウムイオン」、Ｎｉｃｋｅｌ−Ｃａｄｍｉｕｍ（ＮｉＣｄ）「ニッケルカドミウム」、Ｎｉｃｋｅｌ−Ｍｅｔａｌｌｈｙｄｒｉｄ（ＮｉＭＨ）「ニッケル金属水素化物」またはＬｉｔｈｉｕｍ−Ｐｏｌｙｍｅｒ（ＬｉＰｏ）「リチウムポリマー」等の様々な材料を有する様々なバッテリ型式が、例えば円形、角柱形または角形の様々な構造形式で、またはその他の選択的なシステム、例えば燃料電池に使用されてよい。好適には特にリチウムイオン電池が使用される。何故ならば、特にリチウムイオン電池において、複数のバッテリセルを、複数のバッテリセルが並列接続で接続されているバッテリセルブロックに統合することができるからである。この場合、セルホルダが、様々な直径および長さを有するバッテリセルを受けることができれば、特に有利である。これによって、セルホルダ若しくはセル支持体を様々なバッテリパックに使用することができる。
【００１８】
本発明によるバッテリパックは、工具システムに設けられてもよい。相応に、手持ち式工作機械に解除可能に接続可能なバッテリパックを有する手持ち式工作機械は、本発明の別の対象も形成し、この場合、手持ち式工作機械は、バッテリパックのインターフェースと電気的および／または機械的に接続するために、少なくとも１つの対応する対向接点エレメントを有している。
【００１９】
手持ち式工作機械とは、運動例えば回転運動および／または振動運動せしめられる、駆動モータによって駆動可能な工具支持体を有する一般的なすべての手持ち式工作機械、例えばロッドドライバ、バッテリ式ドリル、ハンマドリル、多機能工具および／またはドライバトリルであると解釈されるべきである。電気エネルギの伝達とは、この関連性において特に、手持ち式工作機械にバッテリを介しておよび／または電気ケーブルを介してエネルギが供給される、と解釈されるべきである。
【００２０】
電動機とは、全く一般的にすべての形式の電力消費装置、例えばＥＣモータ、リニア駆動装置、ランプ、ポンプ、ファン、コンプレッサ等であると解釈されるべきである。ブラシレスＥＣモータの利点は特に、一方ではほぼメンテナンスフリーであり、バッテリ運転中のその高い効率によってバッテリ充電毎のより長い作業時間が可能であり、それによって特に効果的である、という点にある。さらに、ＥＣモータを有する手持ち式工作機械は非常にコンパクトで組み立てが容易であり、この場合、特に好適には熱損失の発生も少なく、それによって、機器は、比較可能な機器のように熱くなることはなく、従って長持ちする。
【００２１】
本発明のその他の特徴、使用可能性および利点は、図面に示された本発明の実施例の、以下の説明から得られる。この場合、図示の特徴は記載された特性だけを有するものであって、上記その他の改良形の特徴と組み合わせて使用することもでき、本発明をいずれかの形に限定することは想定されていない、ということに注意されたい。
【図面の簡単な説明】
【００２２】
【図１】本発明によるバッテリパックを備えた手持ち式工作機械の例を示す図である。
【図２】本発明によるバッテリパックの実施例の分解した斜視図である。
【図３】本発明によるバッテリパックのためのセルホルダの斜視図である。
【図４】セルホルダに配置されたバッテリパック電子回路を備えた、図３に示したセルホルダの斜視図である。
【発明を実施するための形態】
【００２３】
本発明を以下に好適な実施例を用いて詳しく説明する。この場合、同じ特徴のためには同じ符号が使用される。図面は概略的である。
【００２４】
図１は、手持ち式工作機械３００として構成された電動工具を示し、この電動工具は例えばバッテリ式ドライバドリルとして構成されている。相応に、手持ち式工作機械３００は図示の実施例では配電網に依存しない電力供給のためにバッテリパック１００に機械的かつ電気的に接続されている。しかしながら、本発明はバッテリ式ドライバドリルに限定されるものではなく、むしろ、図示のように、手持ち式工作機械が配電網に依存しない電力供給部としてのバッテリパック１００により駆動されるかまたは配電網に依存する電流供給部により駆動されるかどうかとは無関係に、様々な手持ち式工作機械３００に使用されてよい、ということを指摘しておく。手持ち式工作機械３００は、駆動モータ３３５によって生ぜしめられたトルクを、ハウジング３０５内に配置された、軸線ｘを中心にして回転する駆動軸に伝達するための伝動装置３３０とハンドル３１５とを有しており、前記駆動軸に図示していない工具のための工具受け部３２０が固定されている。ハウジング３０５内に電子回路３７０が配置されており、この電子回路３７０は、駆動モータ３３５および／または伝動装置３３０に電子的および／または機械的に接触している。ハンドル３１５は、手持ち式工作機械３００の使用者の手のための支持面として用いられ、大抵は、長手方向軸線ｙと、軸線ｘに沿って工具受け部３２０の方向に向いている前面側３１７と、後面側３１６と、２つの側面３１８とを有している。
【００２５】
ハンドル３１５の領域内に、駆動モータ３３５のエネルギ供給のための第１の操作部材３１０が配置されており、この場合、第１の操作部材３１０は、使用者が手動でアクセスするためにハウジング３０５から突き出しており、従って、それ自体公知の方法および形式で第１の操作部材３１０の押圧運動によって、好適な形式で第１の操作部材３１０の調節ストロークに依存して駆動モータの開ループ制御および／または閉ループ制御が可能であり、また駆動モータ３３５のための電圧供給もオン／オフされ得る。さらに、手持ち式工作機械３００は、手持ち式工作機械３００の駆動モータ３３５の回転方向を調節するための、スライドスイッチの形の第２の操作部材３１２を有している。第２の操作部材３１２は、特に手持ち式工作機械３００の工具受け部３２０の駆動軸の回転軸線ｘに対して垂直に移動可能に配置されており、それによって第２の操作部材３１２は、操作時に、第１の位置と第２の位置と第３の位置との間で往復移動させることができる。この場合、それぞれ第１および第２の位置が駆動モータの回転方向を決定する。これによって、手持ち式工作機械３００の使用者は、既に第２の操作部材３１２の位置により、どの作業モードで手持ち式工作機械３００が作業するかを確認することができる。追加的に第２の切換部材は、第１の位置と第２の位置との間に第３の位置、例えば中間位置を有しており、この場合、この第３の位置で、モータ電流の電気的、電気機械的および／または機械的な中断が行われる。従って例えば、第１の切換部材３１０の操作を機械的に遮断することができ、この場合、第２の操作部材３１２は、第３の位置への移動時に第１の切換部材３１０を錠止するように作用する。この場合、第２の操作部材３１２は、図示のようにスライドスイッチとしてまたは選択的にタンブラスイッチとして構成されていてよい。
【００２６】
第１の操作部材３１０および第２の操作部材３１２は、第１の操作部材３１０もまた第２の操作部材３１２も人差し指または中指で操作することができるように、回転軸線ｘに沿って配置されている。この場合、第１の操作部材３１０と第２の操作部材３１２との間の間隔は、手持ち式工作機械３００の片手操作が可能であるように、選択されている。２つの操作部材３１０，３１２はさらに、回転軸線ｘの下の領域に配置されていて、ハウジング３０５から突き出している。
【００２７】
図１に示した位置で、バッテリパック１００は手持ち式工作機械３００のハンドル３１５に固定されていて、錠止手段によって錠止されている。バッテリパック１００をハンドル３１５の下側に配置したことによって、手持ち式工作機械３００の操作が妨げられることはない。詳細が示されていない錠止手段は、特に錠止部材および操作部材２２０を有している。操作部材２２０を操作することによって、バッテリパック１００は手持ち式工作機械３００のハンドル３１５から解除することができる。さらに、手持ち式工作機械３００はインターフェース３８０を有している。
【００２８】
図１に示したバッテリパック１００はスライド式バッテリパックとして構成されていて、手持ち式工作機械３００のインターフェース３８０に対応するインターフェース１８０を有している。スライド式バッテリパックに対して選択的に、回転式または旋回式バッテリパックとして構成することも可能であり、この場合、バッテリパック１００は、旋回軸線に向き合う側で、係止、ねじ固定、締付または緊締によって手持ち式工作機械３００のハウジング３０５に解除可能に固定されていてよい。このような形式で、ハウジング３０５からのバッテリパックの可能な脱落を効果的に防ぐことができる。
【００２９】
バッテリパック１００を手持ち式工作機械３００または充電器に解除可能に取り付けるために、バッテリパック１００は、手持ち式工作機械３００の対応するインターフェース３８０または充電器の対応するインターフェースに解除可能に機械的および電気的に接続するためのインターフェース１８０を有している。バッテリパック１００を取り付ける際に、手持ち式工作機械３００または充電器の受け手段、例えばガイド溝およびガイドリブが、バッテリパック１００の対応するガイド部材を受けるためにこれらのガイド部材に係合せしめられ、この場合、バッテリパック１００は受け手段に沿って差し込まれ、バッテリパック１００のインターフェース１８０は手持ち式工作機械３００の対応するインターフェース３８０内または充電器の対応するインターフェース内にスライドされる。これらのインターフェース１８０，３８０を介して、バッテリパック１００は、手持ち式工作機械３００および／または充電器に対応配設され得る。
【００３０】
手持ち式工作機械３００のハンドル３１５にバッテリパック１００を錠止するために、バッテリパック１００はハンドル３１５に沿って、つまりハンドル３１５の縦方向ｙに対して概ね垂直に向けられた、ハンドル３１５の下側の外側面に沿ってスライドされる。図１に示された位置で、バッテリパック１００は錠止手段によってハンドル３１５に錠止されている。錠止手段は、特に図２に示された錠止部材２１０および操作部材２２０を有している。操作部材２２０を操作することによって、バッテリパック１００は手持ち式工作機械３００のハンドル３１５から解除され得る。バッテリパック１００のロック解除後に、バッテリパックはハンドル３１５から外すことができる。バッテリパック１００を手持ち式工作機械３００に取り付ける際に、錠止部材２１０が、手持ち式工作機械３００のハンドル３１５内の詳しく図示していない対応する受け部と係合せしめられる。
【００３１】
図２は、バッテリパック１００の分解図を示す。バッテリパック１００は、第１のハウジング構成部材１２０と第２のハウジング構成部材１３０とから成るハウジング１１０を有している。ここでは、バッテリパックハウジング１１０がさらに、直列接続された、詳しく図示されていない複数のバッテリセル４００を備えたセルホルダ６００を有していて、この場合、第２のハウジング構成部材１３０がセルホルダ６００を直接形成していることが、明らかである。セルホルダ６００は、２つのハウジング構成部材１２０，１３０の間に位置決めされている。バッテリパックハウジング１１０はさらに、２つの側方構成部材１２５を有していて、これらの側方構成部材１２５は、組み立てられた状態で、第１のハウジング構成部材１２０と第２のハウジング構成部材１３０若しくはセルホルダ６００とを、第２のハウジング構成部材１３０からの第１のハウジング構成部材１２０の解除またはその逆が阻止されるように、結合されている。バッテリパック１００は、図２に示された変化実施例ではスライド式バッテリパックとして構成されている。
【００３２】
セルホルダ６００は、バッテリパックハウジング１２０，１３０内でバッテリセル４００を固定する他に、バッテリセル４００を冷却するためにも役立ち、熱伝導性の材料、例えばアルミニウムまたはプラスチックより成っている。図３から分かるように、セルホルダ６００はさらにスリーブ状の絶縁壁を有しているので、個別のバッテリセル４００は分離され、個別のバッテリセル４００の相互の電気的な絶縁が保証され得る。この場合、隣接し合うバッテリセル４００間、およびバッテリセル４００とセルホルダ６００との間の熱伝導抵抗はできるだけ小さいので、バッテリセル４００から発生された損失熱は良好に外部に導出され、内部でのバッテリパックの過熱は防止され得る。図示の実施例では、セルホルダ６００は少なくとも１つの折り畳み可能なヒンジ６７０を有している。ヒンジ６７０は、セルホルダ６００若しくはバッテリパックハウジング１１０の第１のエレメント６７２を、セルホルダ６００若しくはバッテリパックハウジング１１０の第２のエレメント６７４に接続し、この場合、第１のエレメント６７２と第２のエレメント６７４とは一体的であって、互いに旋回可能なフィルムヒンジ６７０として構成されている。このような形式で、２つまたはそれ以上のバッテリパックハウジング構成部材が互いに接続され、この場合、２つのバッテリパックハウジング構成部材は互いに回転可能に支承されている。フィルムヒンジ６７０は、バッテリパック１００の組み立て中に、組み立て補助、特に位置決め補助および保持補助として使用され、従って、例えばプリント配線板８１０，８１２、ケーブルガイド、セル接続部材、ヒューズおよび／またはその他の電子部品を、解除可能におよび／またはその位置で持続的にバッテリパック１００に若しくはバッテリパックハウジング１１０内に位置決めすることができる。
【００３３】
特に図４で分かるように、バッテリパック電子回路８００は、バッテリセル４００に対応する少なくとも１つの接点手段８４０を備えた少なくとも１つのフレキシブルなプリント配線板８１２を有しており、この場合、図示の実施例では、フレキシブルなプリント配線板８１２は第１のエレメント６７２と第２のエレメント６７４との間に挟み込まれている。さらに、セルホルダ６００は、フレキシブルなプリント配線８１２の位置を保持するために、複数の位置決め部材６０４を有しており、この場合、位置決め部材６０４は、組み立てられた状態で、フレキシブルなプリント配線板８１２の対応する切欠８１６内に係合する。ヒンジを係止位置で保持するために、バッテリパックハウジング１１０は、図示の変化例では２つの別の接続装置６７８を有している。この別の接続装置６７８は、スナップ接続部、差し込み接続部および／またはねじ接続部であってよい。スナップ接続部の場合、接続装置６７８は、少なくとも１つの第１のエレメント６７２に配置された係止突起６７６、および第２のエレメント６７４に配置された係止エレメント６７７を有しており、従って、接続装置６７８は、組み立て終了後に、第１のエレメント６７２と第２のエレメント６７４との間の形状締結式のおよび／または摩擦締結式の接続を形成する。
【００３４】
第２のエレメント６７４は複数の視野６７９を有しており、これらの視野６７９は、バッテリセル４００のそれぞれ様々な充電状態を表示する。このために、フレキシブルなプリント配線板８１２は複数の電気部品、特に少なくとも１つの操作エレメント８１９と複数の発光表示器８１７とを有している。第１のエレメント６７２と第２のエレメント６７４との間でのフレキシブルなプリント配線板８１２の組み立て終了後に、視野６７９は第２のエレメント６７４の領域内で、バッテリセル４００の様々な充電状態の表示を可能にする。
【００３５】
フィルムヒンジの使用は、バッテリパックハウジング１１０の組み立てを軽減し、かつ促進し、この場合さらに、構成部品が削減されるので、このような形式のヒンジを使用することによって、非常に良好な接合法を可能にする。フィルムヒンジによって、例えばプリント配線板８１０，８１２、ケーブルガイド、セル接続部材５００、ヒューズまたはその他の電子部品を位置決めし、次いでその位置で持続的にまたは解除可能に係止することができる。
【００３６】
バッテリセル４００の相互の接続は、特に図２および図４に示されたセル接続部材５００によって実現される。セル接続部材５００によって、バッテリセル４００の電気的な接続は互いに並列接続および／または直列接続で行われる。図２および図４に示された実施例ではさらに、バッテリパックハウジング１１０内でセルホルダ６００の表面に、バッテリパック電子回路８００を備えたプリント配線板８１０が固定されていることが分かる。プリント配線板８１０上に、バッテリパック１００と手持ち式工作機械３００との間若しくはバッテリパック１００と充電器との間の電気的および機械的な接続を形成するための接点エレメント１４０が配置されている。この場合、接点エレメント１４３は、電圧接点として構成されていて、充電接点および／または放電接点として用いられ、これに対して、接点エレメント１４４は信号接点として構成されていて、バッテリパック１００から手持ち式工作機械３００または充電器に信号を伝送するために、および／または手持ち式工作機械３００または充電器からバッテリパック１００に信号を伝送するために用いられる。
【００３７】
さらに、図２および図４にはセル接続部材５００が示されており、このセル接続部材５００によって、バッテリセル４００の互いの電気的な接続が並列接続および／または直列接続で行われ得る。この場合、個々のバッテリセル４００は、セルホルダ６００内で機械的に固定するために互いに間隔を保って受けられる。各バッテリセル４００は、長手方向軸線ｘに対して平行に延在する外周面を有しており、この場合、この外周面は長手方向軸線ｘに対して垂直に位置する２つの端面によって仕切られていて、これらの端面にバッテリセル４００の電気的な極が位置している。
【００３８】
基本的に、セルホルダ６００は、図２および図４に示されているように、領域的にバッテリパックハウジング１１０の外側、特に第２のハウジング構成部材１３０を形成していれば、有利である。さらに、側方構成部材１２５が、残りのバッテリパックハウジング１１０と同じ材料、好適には技術的に使用可能な合成の熱可塑性プラスチック材料、例えばポリアミドより成っていれば、有利である。このような形式で、コストが低減され、組み立て費用が安価に抑えられる。
【００３９】
選択的に、側方構成部材１２５は、少なくとも部分的に金属、好適にはアルミニウムダイカストまたはマグネシウムダイカストより成っていてよく、この場合、十分な若しくは確実な絶縁インサート、例えば弾性的な熱伝導部材６５０がセル接続部材５００と側方構成部材１２５との間に使用されなければならない。弾性的な熱伝導部材６５０は、好適な形式でバッテリセル４００の端面と、バッテリセル４００の端面に対して概ね平行に延在する、バッテリパックハウジング１１０の壁部との間に配置されているので、バッテリセル４００の端面との熱接触が発生し、熱がバッテリセル４００からバッテリパックハウジング１１０の壁部の方向に導出される。弾性的な熱伝導部材６５０は、少なくとも部分的に熱伝導材料より成っていて、この熱伝導材料は、エラストマーの材料群、熱可塑性のエラストマーまたは炭素繊維のうちの少なくとも１つに属している。このような形式で、弾性的な熱伝導部材６５０は、一方では、０．１５Ｗ／ｍＫよりも大きい、好適には０．２０Ｗ／ｍＫよりも大きい、特に好適には０．２０Ｗ／ｍＫと０．５０Ｗ／ｍＫとの間である熱伝導率を有していて、他方では、５０ショアＡよりも小さく、好適には２０ショアＡと４５ショアＡとの間であるショア硬さを有していることが保証され得る。
【００４０】
さらに、弾性的な熱伝導部材６５０がそれぞれの側方構成部材１２５と直接的に熱接触していて、この場合、弾性的な熱伝導部材６５０がバッテリパックハウジング１１０の側方構成部材１２５内に直接配置されているか、またはさらにこの側方構成部材と一体的に制作されていれば、有利である。側方構成部材１２５が、残りのバッテリパックハウジング１１０と同じ材料、好適には技術的に使用可能な合成の熱可塑性プラスチック、例えばポリアミドより成っていれば、弾性的な熱伝導部材６５０を側方構成部材１２５と一緒に、射出成形法、例えば２成分射出成形法で、好適には１つの共通の作業工程で、特に一体的に製造することを可能にする。このような形式で、コストが削減され、組み立て費用が安価に維持され得る。好適な形式で、弾性的な熱伝導部材６５０は、少なくとも部分的に熱伝導性の材料、例えばエラストマーまたは熱可塑性のエラストマーより成っている。これによって、熱拡開部材６６０若しくはセル接続部材５００は、弾性的な熱伝導部材６５０とも、またバッテリパックハウジング１１０の壁部とも熱接触し、それによってバッテリパックハウジング１１０の壁部を熱で均一に負荷するように配慮する。
【００４１】
図２および図４に示された実施例ではさらに、弾性的な熱伝導インサート６５０とバッテリパックハウジング１１０の壁部との間のバッテリセル４００の端面領域で、セル接続部材５００は、その機能の他に、バッテリセル４００を互いに並列接続および／または直列接続で電気接続することを保証し、また熱拡開部材６６０の機能も引き受け、所望の熱伝導を促進することができるように、大面積で構成されていることが、明らかである。図面には詳細が示されていないが、熱拡開部材６６０およびセル接続部材５００は、複合構成部材、特に一体的な複合構成部分として構成されていて、熱伝導が望まれていない、熱伝導ができるだけ十分に遮断されるべきである領域内に、スリット状の切欠６６５を有していて、この場合、各バッテリセル４００のために１つの切欠６６５が設けられていれば、有利である。このような形式で、バッテリセル４００から逐一セル接続部材５００若しくは熱拡開部材６６０に伝達された損失熱が、セル接続部材５００と熱接触している弾性的な部材６５０に直接に伝達され、この場合、熱拡開部材６６０として構成されたセル接続部材５００は、逐一伝達された損失熱を切欠６６５に基づいて全面に分配し、弾性的な部材６５０に伝達することが保証され得る。
【００４２】
熱伝導が望まれておらず、できるだけ十分に遮断されるべき領域内に、熱拡開部材６６０は複数の切欠６６５を有している。これらの切欠６６５は、熱拡開部材６６０の全面に亘って分配して配置されており、この場合、図示の実施例では各バッテリセル４００のために１つの切欠６６５が設けられている。このような形式で、バッテリセル４００から、このバッテリセル４００に熱接触する弾性的な部材６５０に逐一伝達された損失熱は、弾性的な部材６５０と熱接触する、直接的に隣接する熱拡開部材６６０に直接伝達され得ることが保証され得る。熱拡開部材６６０は、相対的に逐一伝達された損失熱を、切欠６６５に基づいて、バッテリパックハウジング１１０のそれぞれの側方構成部材１２５の全面に分配し、この場合、熱拡開部材６６０は、それぞれの側方構成部材１２５にも直接的に熱接触している。
【００４３】
以上説明されかつ図示された実施例の他に、別の変化形並びに特徴の別の組合せを含む別の実施例が考えられる。
【符号の説明】
【００４４】
１００  バッテリパック
１１０  バッテリパックハウジング
１２０  第１のハウジング構成部材
１２５  側方構成部材
１３０  第２のハウジング構成部材
１４０，１４３，１４４  接点エレメント
１８０  インターフェース
２２０  操作部材
３００  手持ち式工作機械
３０５  ハウジング
３１０  第１の操作部材
３１２  第２の操作部材
３１５  ハンドル
３１６  後面側
３１７  前面側
３１８  側面
３２０  インターフェース、工具受け部
３３０  伝動装置
３３５  駆動モータ
３７０  電子回路
３８０  インターフェース
４００  バッテリセル
５００  セル接続部材
６００  セルホルダ
６０４  位置決め部材
６５０  熱伝導部材、熱伝導インサート、弾性的な部材
６６０  熱拡開部材
６６５  スリット状の切欠
６７０  ヒンジ、フィルムヒンジ
６７２  第１のエレメント
６７４  第２のエレメント
６７６  係止突起
６７７  係止エレメント
６７８  別の接続装置
６７９  視野
８００  バッテリパック電子回路
８１０，８１２  プリント配線板
８１６  切欠
８１７  発光表示器
８１９  操作エレメント
８４０  接点手段
ｘ  軸線、回転軸線、長手方向軸線
ｙ  縦方向
【図１】
2019512155.tif 000003
【図２】
2019512155.tif 000004
【図３】
2019512155.tif 000005
【図４】
2019512155.tif 000006
【手続補正書】
【提出日】平成30年8月28日(2018.8.28)
【手続補正２】
【補正対象書類名】特許請求の範囲
【補正対象項目名】全文
【補正方法】変更
【補正の内容】
【特許請求の範囲】
【請求項１】
手持ち式工作機械（３００）のためのバッテリパック（１００）であって、
バッテリパックハウジング（１１０）と少なくとも１つのセルホルダ（６００）とを有しており、前記セルホルダ（６００）が、互いに並列接続および／または直列接続で接続された少なくとも２つのバッテリセル（４００）を収容する形式のものにおいて、
前記バッテリパックハウジング（１１０）が少なくとも１つの折り畳み可能なヒンジ（６７０）を有しており、前記ヒンジ（６７０）が、第１のエレメント（６７２）と第２のエレメント（６７４）とを互いに接続し、前記第１のエレメント（６７２）と前記第２のエレメント（６７４）とが、一体的かつ互いに旋回可能に構成されていることを特徴とする、手持ち式工作機械（３００）のためのバッテリパック（１００）。
【請求項２】
前記バッテリパックハウジング（１１０）が前記セルホルダ（６００）を含有しており、前記セルホルダ（６００）が前記ヒンジ（６７０）を有していることを特徴とする、請求項１記載のバッテリパック（１００）。
【請求項３】
少なくとも１つの前記ヒンジ（６７０）がフィルムヒンジであることを特徴とする、請求項１または２記載のバッテリパック（１００）。
【請求項４】
前記バッテリパックハウジング（１１０）がさらに少なくとも１つの別の接続装置（６７８）有しており、該別の接続装置（６７８）が、前記ヒンジ（６７０）を係止位置で保持することを特徴とする、請求項１から３までのいずれか１項記載のバッテリパック（１００）。
【請求項５】
前記別の接続装置（６７８）が形状結合式および／または摩擦接続式の接続部であることを特徴とする、請求項４記載のバッテリパック（１００）。
【請求項６】
前記別の接続装置（６７８）が、スナップ接続部、差し込み接続部および／またはねじ接続部であることを特徴とする、請求項４または５記載のバッテリパック（１００）。
【請求項７】
前記接続装置（６７８）が、少なくとも第１のエレメント（６７２）に配置された係止突起（６７６）、および第２のエレメント（６７４）に配置された係止エレメント（６７７）を有していることを特徴とする、請求項４から６までのいずれか１項記載のバッテリパック（１００）。
【請求項８】
前記バッテリパックハウジング（１１０）および／または前記セルホルダ（６００）が、前記バッテリセル（４００）の充電状態を表示するための少なくとも１つの視野（６７９）を有していることを特徴とする、請求項１から７までのいずれか１項記載のバッテリパック（１００）。
【請求項９】
前記バッテリパックハウジング（１１０）および／または前記セルホルダ（６００）が、それぞれ前記バッテリセル（４００）の様々な充電状態を表示する複数の視野（６７９）を有していることを特徴とする、請求項１から８までのいずれか１項記載のバッテリパック（１００）。
【請求項１０】
前記バッテリパック（１００）がバッテリパック電子回路（８００）を有しており、前記バッテリパック電子回路（８００）が、前記バッテリパック（１００）と前記手持ち式工作機械（３００）との間の電気接続を形成するための少なくとも１つの接点エレメント（１４０）を備えた少なくも１つのプリント配線板（８１０）、および／または前記バッテリセル（４００）に対応する少なくとも１つの接点手段（８４０）を備えたフレキシブルなプリント配線板（８１２）を有していることを特徴とする、請求項１から９までのいずれか１項記載のバッテリパック（１００）。
【請求項１１】
前記少なくとも１つのプリント配線板（８１０）および／または前記フレキシブルなプリント配線板（８１２）が、前記第１のエレメント（６７２）と前記第２のエレメント（６７４）との間に挟み込まれ得ることを特徴とする、請求項１０記載のバッテリパック（１００）。
【請求項１２】
手持ち式工作機械（３００）であって、ハンドル（３１５）を備えたハウジング（３０５）と、前記ハウジング（３０５）内に配置された、機械的なインターフェース（３２０）を駆動するための駆動モータ（３３５）と、前記ハウジング（３０５）内に配置された第１の電子回路（３７０）と、解除可能に前記手持ち式工作機械（３００）に接続可能な、請求項１から１１までのいずれか１項記載のバッテリパック（１００）とを有しており、前記バッテリパック（１００）が取り付けられた状態で前記手持ち式工作機械（３００）に電気的に接続されている、手持ち式工作機械（３００）。
【国際調査報告】
2019512155.tif 000007
2019512155.tif 000008
2019512155.tif 000009
2019512155.tif 000010